(57)【要約】【課題】小型かつ簡素な構成で、複数の材料からなる原料から、大きさ別、重量別の材料に選別を行うことができる吸引風力式選別装置の提供。【解決手段】本考案は、複数の材料が含まれた原料から、所定の材料に選別するための吸引風力式選別装置である。所定の大きさのふるい目を有する傾斜スクリーンに振動を付与し、所定の大きさ以下の材料を選別する第１の選別手段１０と、傾斜スクリーンの他方の側に設けられ、傾斜スクリーンから落下しなかった原料が移動してくるシュート部材７０と、シュート部材７０上の原料から軽量な材料を吸引し、選別する第２の選別手段２０と、吸引用空気を生成するための吸引空気生成手段８０と、排気口から排気される空気の一部を分岐し、シュート部材の下方近傍から吹き出して、傾斜スクリーン側の埃、粉塵等が吸引空気生成手段の吸引口から吸い込まれるのを防止する埃流入防止手段８８、８９とを備えている。【選択図】図１
0003148945.tif 000002
【実用新案登録請求の範囲】
【請求項１】
複数の材料が含まれた原料から、所定の材料に選別するための吸引風力式選別装置であって、
水平面に対して一方の側が高くなる第１の角度傾斜しているとともに、所定の大きさのふるい目を有する傾斜スクリーンに振動を付与し、前記一方の側から供給された前記原料が前記一方の側から他方の側に移動している間に、所定の大きさ以下の材料を、前記ふるい目を介して前記傾斜スクリーンの下方側に落下させて選別する第１の選別手段と、
前記傾斜スクリーンの他方の側の先端に設けられ、前記第１の角度より小さい第２の角度に傾斜し、前記傾斜スクリーンから落下しなかった前記原料が移動してくるシュート部材と、
前記シュート部材の上方に、前記原料の移動方向を横切るように設けられ、前記シュート部材上の前記原料から軽量な原料を吸引して前記横切る方向に回収し、所定の大きさ以上であって軽量な材料として選別する第２の選別手段と、
前記第２の選別手段側に設けられた吸引口から空気を吸引し、排気口から排気するための送風機と、前記吸引口と前記排気口とを連通させるための空気通路とを有し、前記第２の選別手段の吸引用の空気を生成するための吸引空気生成手段と、
前記シュート部材の下方近傍に吹き出し口が設けられ、前記空気通路の中途から分岐された前記空気が前記吹き出し口から前記シュート部材側に吹き出され、前記傾斜スクリーン側の埃及び／又は粉塵が前記吸引口側に流入するのを防止するための埃流入防止手段とを備えている
ことを特徴とする吸引風力式選別装置。
【請求項２】
請求項１に記載された吸引風力式選別装置において、
前記第２の選別手段は、空気の流通が可能であるとともに所定の幅を有する無端ベルトであって、前記横切る方向に延びた巻回運動軌跡上を移動可能に、前記巻回運動軌跡の前記シュート部材側の面が、前記シュート部材に対して所定の間隔を有するとともに平行または略平行になるように設けられた巻回ベルトと、
前記巻回ベルトを所定の方向に巻回運動させるための巻回駆動機構とを有し、
前記吸引口は、前記巻回ベルトの中間に、前記シュート部材側に開口を向けるように設けられたものである
ことを特徴とする吸引風力式選別装置。
【請求項３】
請求項２に記載された吸引風力式選別装置において、
前記空気通路の分岐部には、前記排気口側の空気通路に流れる空気の流量と、前記吹き出し口側の空気通路に流れる空気の流量とを調整するための空気流量調整手段が設けられている
ことを特徴とする吸引風力式選別装置。
【請求項４】
請求項３に記載された吸引風力式選別装置において、
前記シュート部材の下方には、前記吹き出し口から吹き出された空気が、前記シュート部材に向って流出するように、前記空気の流れの方向を変えるための流れ方向変更部材が設けられている
ことを特徴とする吸引風力式選別装置。
【請求項５】
請求項３または４に記載された吸引風力式選別装置において、
前記空気流量調整手段は、前記側面視略１／４円の円弧状の板材を背中合わせに一体化した空気流量調整部材を有し、前記分岐部において、前記空気流量調整部材を移動させることで、空気流量の調整を可能としたものである
ことを特徴とする吸引風力式選別装置。
【請求項６】
請求項５に記載された吸引風力式選別装置において、
前記原料は、建築廃材または混合産業廃棄物であり、
前記所定の大きさ以下の材料は、再生路盤材、再生骨材のための材料、残砂から選択される１種以上であり、
前記所定の大きさ以上であって軽量な材料は、紙、プラスチック、及び、木片から選択される１種を少なくとも含む不要材料である
ことを特徴とする吸引風力式選別装置。
【考案の詳細な説明】
【技術分野】
【０００１】
本考案は、建築廃材、混合産業廃棄物等原料を、リサイクル容易な大きさ別、重量別の材料に選別するための吸引風力式選別装置に関する。さらに詳しくは、小型、かつ、簡素な構成であるとともに、排気される空気に含有する埃、粉塵等を減少させることが可能な吸引風力式選別装置に関する。
【背景技術】
【０００２】
コンクリート廃材、アスファルト廃材等の建築廃材は、建築工事、解体工事、土木工事などにおいて、建設副産物（建設廃棄物）として排出される。この建設副産物は、産業廃棄物として廃棄するのでなく有効利用することが求められている。すなわち、建築廃材は、ふるい装置により、所定の大きさ（例えば４０ｍｍ）以上の物と所定の大きさ以下の物とに分ける粗ぶるいを行い、再生路盤材などとして再利用するとよい。しかし、建築廃材には、木くず、紙、プラスチックなどいろいろな物が混ざっており、そのままでは再利用することができない。
【０００３】
言い換えると、所定の大きさ以下に分別したものは、例えば、再生路盤材などとして利用可能であるが、その建築廃材の中に木くず、紙、プラスチックなど不純物（ゴミ）が多く混ざっていると、再生路盤材等に再利用することができない。そこで、建築廃材は、作業者による手選別で、木くず、紙、プラスチックなどを選別して取り除く作業が必要であった。
【０００４】
しかしながら、建築廃材、混合産業廃棄物から不純物を取り除く作業の多くは手選別であり、たいへんな作業である。また、混合産業廃棄物の小さい物（例えば、４０ｍｍ以下のもの）は、手選別が容易でなく、埋め立て処理されてしまうことが多い。そのため、自動で選別することが可能な選別装置、選別方法、選別システムが、種々、提案されている。このような選別装置等について、特許文献を例にとって、さらに説明を行う。
【０００５】
従来の建築廃材の処理システムとして、スクリーン及び振動付与機構を有する振動ふるい装置と、吸引ノズル、サイクロン及びファン装置を有する不純物除去装置と、吸引ノズル下方のスリット網に下方から風を送る第１の送風機構とを具備しているものが知られている（例えば、特許文献１参照）。この特許文献１の建築廃材の処理システムでは、建設廃材が、振動ふるい装置のスクリーンにおいてふるい分けられ、スクリーンをオーバーしたオーバー材はスリット網側へ送られ、比較的軽量な不純物が吸引ノズルにより吸引除去されている。
【０００６】
また、風力選別を利用した再生路盤材の回収方法として、コンクリート廃材やアスファルト廃材等を破砕装置に供給して所定の大きさに破砕し、破砕された廃棄物をふるい装置に供給して所定粒度毎にふるい分けして再生骨材及び再生路盤材を回収する方法が知られている（例えば、特許文献２参照）。この特許文献２の回収方法では、送風機によって振動傾斜ふるい装置の下段ふるいを通過できずに傾斜下端部から落下する成分のうち、軽量成分を吹き飛ばし、吹き飛ばされずに落下した重量成分と分けて回収できる。
【０００７】
さらに、空き缶や空き瓶等の固形ごみと収容袋等の可塑性ごみとが混在した混合ごみを落下させる落下シュートの途中に、収容袋等の可塑性ごみを空気の吸引力により網状コンベアベルトの表面に吸着させた状態で落下シュート３の別の箇所まで搬送する吸引選別手段を備えた風力選別装置が知られている（例えば、特許文献３参照）。
【特許文献１】特開２００３−１１７４９２号公報
【特許文献２】特許第３６４１２４２号公報
【特許文献３】特許第３２４９４１５号公報
【考案の開示】
【考案が解決しようとする課題】
【０００８】
しかしながら、特許文献１に記載された技術では、不純物を除去するためにサイクロンを必要とするなど、設備が大型化し、設備費も高額なものとなり、メンテナンスも容易でないという問題点があった。また、特許文献２に記載された技術では、再生路盤材と、不純物との選別が充分でなく、良質の再生路盤材、骨材が得られないおそれがあるとともに、ふるい装置の下方側に埃、粉塵等が飛散し、環境低下が生じるおそれがあるという問題点があった。さらに、特許文献３に記載された技術でも、集塵器が必須であり、設備の大型化、設備費増大などの問題は解消されていない。
【０００９】
このような現状から、サイクロン等集塵装置を必要とせず、小型、かつ、簡素な装置で、信頼性の高い選別ができる風力式選別装置の開発が要望されていた。また、サイクロン等集塵装置を設けなくとも、排気口から排気される空気に含有される埃、粉塵等を減少させることが可能な風力式選別装置の開発が要望されていた。
【００１０】
本考案は、前記した問題点を解決するためになされたもので、下記の目的を達成する。
本考案の目的は、小型かつ簡素な構成で、複数の材料からなる原料から、大きさ別、重量別の材料に、確実に選別を行うことができるとともに、排気口から排気する空気に含有される埃、粉塵等を減少させることが可能な吸引風力式選別装置を提供することにある。
【課題を解決するための手段】
【００１１】
本考案は、前記目的を達成するために次の手段をとる。  
本考案１の吸引風力式選別装置は、複数の材料が含まれた原料から、所定の材料に選別するための吸引風力式選別装置であって、水平面に対して一方の側が高くなる第１の角度傾斜しているとともに、所定の大きさのふるい目を有する傾斜スクリーンに振動を付与し、前記一方の側から供給された前記原料が前記一方の側から他方の側に移動している間に、所定の大きさ以下の材料を、前記ふるい目を介して前記傾斜スクリーンの下方側に落下させて選別する第１の選別手段と、前記傾斜スクリーンの他方の側の先端に設けられ、前記第１の角度より小さい第２の角度に傾斜し、前記傾斜スクリーンから落下しなかった前記原料が移動してくるシュート部材と、前記シュート部材の上方に、前記原料の移動方向を横切るように設けられ、前記シュート部材上の前記原料から軽量な原料を吸引して前記横切る方向に回収し、所定の大きさ以上であって軽量な材料として選別する第２の選別手段と、前記第２の選別手段側に設けられた吸引口から空気を吸引し、排気口から排気するための送風機と、前記吸引口と前記排気口とを連通させるための空気通路とを有し、前記第２の選別手段の吸引用の空気を生成するための吸引空気生成手段と、前記シュート部材の下方近傍に吹き出し口が設けられ、前記空気通路の中途から分岐された前記空気が前記吹き出し口から前記シュート部材側に吹き出され、前記傾斜スクリーン側の埃及び／又は粉塵が前記吸引口から吸い込まれるのを防止するための埃流入防止手段とを備えていることを特徴とする。
【００１２】
本考案２の吸引風力式選別装置は、本考案１において、前記第２の選別手段は、空気の流通が可能であるとともに所定の幅を有する無端ベルトであって、前記横切る方向に延びた巻回運動軌跡上を移動可能に、前記巻回運動軌跡の前記シュート部材側の面が、前記シュート部材に対して所定の間隔を有するとともに平行または略平行になるように設けられた巻回ベルトと、前記巻回ベルトを所定の方向に巻回運動させるための巻回駆動機構とを有し、前記吸引口は、前記巻回ベルトの中間に、前記シュート部材側に開口を向けるように設けられたものであることを特徴とする。
【００１３】
本考案３の吸引風力式選別装置は、本考案２において、前記空気通路の分岐部には、前記排気口側の空気通路に流れる空気の流量と、前記吹き出し口側の空気通路に流れる空気の流量とを調整するための空気流量調整手段が設けられていることを特徴とする。
【００１４】
本考案４の吸引風力式選別装置は、本考案３において、前記シュート部材の下方には、前記吹き出し口から吹き出された空気が、前記シュート部材に向って流出するように、前記空気の流れの方向を変えるための流れ方向変更部材が設けられていることを特徴とする。
【００１５】
本考案５の吸引風力式選別装置は、本考案３または４において、前記空気流量調整手段は、前記側面視略１／４円の円弧状の板材を背中合わせに一体化した空気流量調整部材を有し、前記分岐部において、前記空気流量調整部材を移動させることで、空気流量の調整を可能としたものであることを特徴とする。
【００１６】
本考案６の吸引風力式選別装置は、本考案５において、前記原料は、建築廃材または混合産業廃棄物であり、前記所定の大きさ以下の材料は、再生路盤材、再生骨材のための材料、残砂から選択される１種以上であり、前記所定の大きさ以上であって軽量な材料は、紙、プラスチック、及び、木片から選択される１種を少なくとも含む不要材料であることを特徴とする。
【考案の効果】
【００１７】
以上、説明したように、本考案の吸引風力式選別装置は、本来、排気される空気をシュート部材近傍に設けられた吹き出し口から吹き出し、吸引口から傾斜スクリーン側の埃、粉塵等を吸い込みにくくしている。このような構成とすることで、排気口から排気される空気に含有される埃、粉塵等の量を少なくすることができ、吸引風力式選別装置の排気口周辺の環境悪化を防止している。言い換えると、作業者が操作を行う領域近傍に排気される埃、粉塵等の量を少なくすることができる。
【００１８】
また、空気を、排気するための空気通路から分岐してシュート部近傍に吹き出すだけの簡素な構成であり、メンテナンスも不要で低コストを実現できる。さらに、分岐部に空気流量調整手段を備え、選別する原料の種類等に合わせて、前記排気口側空気通路を流れる空気流量と、前記空気吹き出し口側空気通路を流れる空気流量とを、容易に調整することが可能である。
【００１９】
さらに、第１の選別手段で所定の大きさ以下の材料の選別を行い、第２の選別手段で、所定の大きさ以上であって重量が軽い材料、所定の大きさ以上であって重量が重い材料に選別することができるようになった。すなわち、リサイクル（再利用）可能な材料として好適なものを選別回収することができる。
【００２０】
すなわち、本考案の吸引風力式選別装置では、建築廃材を、リサイクル可能な再生路盤材、再生骨材と不要材料（または、ゴミ）とに、容易に選別、回収することができる。また、混合産業廃棄物を、リサイクル可能な残砂と不要材料（がれき類、木、紙、プラスチック等）とに容易に選別、回収することができる。
【考案を実施するための最良の形態】
【００２１】
以下、本考案の吸引風力式選別装置について、図面に基づいて、その実施の形態を詳細に説明する。
【００２２】
図１は、本考案の実施の形態の吸引風力式選別装置を示す正面図、図２は、側面図である。図３は、図１のＸ−Ｘ線で切断して示した断面図である。図４は、図３をＹ−Ｙ線で切断して示した断面図である。図５は、空気流量調整部材の調整位置と空気流量との関係を模式的に示した説明図であり、（ａ）は排気ダクト側に多くの空気を流している状態を示し、（ｂ）は還流用ダクト側に多くの空気を流している状態を示している。
【００２３】
図１〜４に示すように、本実施の形態の吸引風力式選別装置１は、振動ふるい選別手段（第１の選別手段）１０、吸引選別手段（第２の選別手段）２０、選別装置本体（以下、本体という。）５０、ベルトコンベア６０等から構成されている。なお、この実施の形態の説明では、図１における吸引選別手段２０側を前方側（他方の側）、制御装置７２側を後方側（一方の側）として説明を行う。
【００２４】
本体５０にはキャスター５２、５２が設けられている。すなわち、キャスター５２、５２は、本体５０に形成された支持脚５３ａ、５３ｂを介して取り付けられている。このような構成とすることで、所定の位置（例えば、選別作業を行う位置）に移動可能になっている。また、トラック等運搬手段で運搬後、選別作業を行う現場、リサイクルを行う現場等へ移動することも容易である。なお、吸引風力式選別装置は、このキャスター構成に限定されることはなく、本体にクローラ、クローラ駆動装置を設け、走行可能にしたものであってもよい。このような構成にすると、クローラ駆動装置によりクローラを駆動し、選別作業を行う現場、リサイクルを行う現場等に自走して移動することができる。
【００２５】
本体５０の下部には、ベルトコンベア６０が設けられている。ベルトコンベア６０は、コンベア本体に対して、無端状のベルト６１が駆動モータ（図示せず）の駆動により、矢印Ｐの方向に移動可能に構成されている。このようなベルトコンベアは周知なものであり、この実施の形態の説明では、これ以上詳説しない。
【００２６】
本体５０の後方側には、ベルトコンベア６０、振動ふるい選別手段１０の加振装置１３等の操作を行うための操作盤が設けられた制御装置７２が設けられている。制御装置７２は、作業者が操作する操作盤からの操作指令に従って、ベルトコンベア６０、加振装置１３等の制御を行う。
【００２７】
図１に示すように、本体５０の上部に設けられた振動ふるい選別手段（第１の選別手段）１０は、ふるい枠体１１、傾斜スクリーン１２、加振装置１３、弾性支持体１６等から構成されている。ふるい枠体１１は、本体５０に対して弾性支持体１６を介して弾性支持されている。ふるい枠体１１には、原料を投入（供給）するための原料投入部１１ａが設けられている。弾性支持体１６は、ばね部材１７を備えている。本体５０とふるい枠体１１の間には、加振装置１３が設けられている。加振装置１３は、加振モータ１４が回転するとベルトを介して回転し、ふるい枠体１１に振動させるものである。
【００２８】
ふるい枠体１１の内部には、所定の大きさ（例えば４０ｍｍ）のメッシュ（ふるい目）を有する傾斜スクリーン１２が設けられている。傾斜スクリーン１２は、支持部材１２ａを介してふるい枠体１１に支持されている。傾斜スクリーン１２は、後方側（一方の側）が高く、前方側であるシュート部材７０側（他方の側）が低くなるような所定の角度（第１の角度）の傾斜をしている。傾斜スクリーン１２に供給された原料Ｇは、この傾斜と、傾斜スクリーン１２に付与される振動とによって、前方側（矢印Ｑの方向）に移動する。
【００２９】
投入された原料は、振動ふるい選別手段１０でふるわれ、所定の大きさ以下の原料は、傾斜スクリーン１２のメッシュを介して落下し選別される。落下したものは、ベルトコンベア６０のベルトの矢印Ｐ方向への移動によって、所定の大きさ以下の材料ＭＡとして、吸引風力式選別装置１の後方側の選別収集位置に収集される。
【００３０】
傾斜スクリーン１２の前端側には、振動ふるい選別手段１０でふるわれて落下しなかった原料、言い換えると所定の大きさ以上の原料が移動してくるシュート部材７０が設けられている。シュート部材７０は、ふるい枠体１１の前端部に固定され、底面部７０ａと側面部７０ｂとから形成されている（図３参照）。底面部７０ａは、網目状、長目状、格子状、くし状等に穴、溝等が形成され、空気の流通がたいへんよい形状の部材になっている。このシュート部材７０は、傾斜スクリーン１２が傾斜している第１の角度より小さい第２の角度に傾斜している。すなわち、シュート部材７０は、水平面に対して、ほぼ水平または緩い傾斜になっている。シュート部材７０が傾斜している第２の角度は、例えば、０〜５度の傾斜であるとよい。言い換えると、シュート部材７０が傾斜している第２の角度は、傾斜スクリーン１２が傾斜している第１の角度に比べ、大幅に小さな角度となっている。
【００３１】
すなわち、投入され、ふるわれた原料は、この緩い傾斜面である底面部７０ａ上を移動することにより、一時滞留したり、大幅に遅い速度で移動することになる。言い換えると、後から移動してくる原料に押される力と付与される振動によって、シュート部材７０の前方側に押されるように移動する。
なお、シュート部材７０は、ふるい枠体１１に対して取付角度の調整が可能になっているとよい。また、本体５０には、傾斜板部材５５が設けられている。傾斜板部材５５は、振動ふるい選別手段１０でふるわれたとき落下せずに残り、シュート部材７０から落下してくる少量の粉状の原料をベルトコンベア６０に流入させるようにしているものである。
【００３２】
シュート部材７０上の所定の大きさ以上の原料は、吸引選別手段（第２の選別手段）２０によって、吸引されて移動される所定の大きさ以上で軽い原料と、吸引されない所定の大きさ以上で重い原料に吸引選別される。吸引されない所定の大きさ以上で重い原料は、シュート部材７０上を押し出されるように移動し、前端側から排出され第２ベルトコンベア９５上に落下する。落下した所定の大きさ以上で重い原料は、第２ベルトコンベア９５のベルトの矢印Ｒ方向への移動によって搬送され、吸引風力式選別装置１の側方の一方の側（図３における左側）に、所定の大きさ以上であって重量が重い材料ＭＤとして選別回収される。なお、この実施の形態でいう「所定の大きさ以上で軽い原料」には、吸引表面積（風受面積）の大きい原料（ただし、球状のものを除く）を含んでいるものとする。
【００３３】
所定の大きさ以上であって重量が軽い原料は、吸引選別手段２０、搬出シュート７５を介して、吸引風力式選別装置１の側方の他方の側（図３における右側）に、所定の大きさ以上であって重量が軽い材料ＭＢとして選別回収される。吸引選別手段２０について、さらに説明を行う。
【００３４】
支持台８１には、支柱８２、片持ち梁部材８２ａ、梁部材８２ｂが設けられている。梁部材８２ｂは、支柱８２、８２の上部を固定するように設けられている。梁部材８２ｂ上には、片持ち梁部材８２ａが固定されている。片持ち梁部材８２ａには、吸引選別手段２０の吸引枠体２１が吊設されている。すなわち、吸引枠体２１の被取付部２１ｃが吊り下げボルト５１ｂで吊り下げられ、ナット５１ｃ等により片持ち梁部材８２ａに固定されている。吸引枠体２１には、メッシュコンベア２２が支持されている。片持ち梁部材８２ａの先端には固定部材８２ｃがボルト等締結部材で固定されている。
【００３５】
シュート部材７０の上方には、吸引選別手段２０の吸引枠体２１が設けられている。吸引枠体２１は、略直方体状のものであり、下側（シュート部材側）が開口していて吸引口２１ａを形成している。吸引口２１ａの搬出シュート７５側には、側面視、三角状の三角状吸引口２１ｄが形成されている。この三角状吸引口２１ｄは、吸引口２１ａ側より、吸引する風力を除々に小さくするためのものであり、吸引した軽い原料が自重により落下することを補助するためのものである。また、吸引枠体２０の一方の側面には、吸引ダクト８３が接続される吸引ダクト接続口が形成されている。
【００３６】
吸引枠体２０の両方の側面には、各々、一対の取付部材６５ａ、取付部材６５ｂがボルト等締結部材で固定されている。取付部材６５ａ、取付部材６５ｂは、みぞ形鋼などであるとよい。
一対の取付部材６５ａ、６５ａには軸受ユニット６０ａ、６０ｄが取り付けられている。一対の取付部材６５ｂ、６５ｂには軸受ユニット６０ｂ、６０ｃが取り付けられている。軸受ユニット６０ｃ、６０ｃは、支持ローラ２３ｃが設けられている軸体６２ｃの両端を回転可能に支持している。また、軸受ユニット６０ｄ、６０ｄは、支持ローラ２３ｄが設けられている軸体６２ｄの両端を回転可能に支持している。同様に、軸受ユニット６０ａ、６０ａが、支持ローラ２３ａが設けられている軸体の両端を、軸受ユニット６０ｂ、６０ｂが、支持ローラ２３ｂが設けられている軸体の両端を回転可能に支持している。
【００３７】
支持ローラ２３ａ、２３ｂ、２３ｃ、２３ｄには、メッシュ状巻回ベルト２４が、図３に図示したような略台形状の移動軌跡上を回転動作可能に巻回されている。軸体６２ｃの一方の側には、メッシュコンベア用駆動モータ２５が設けられ、軸体６２ｃを回転駆動している。すなわち、巻回ベルト用駆動モータ２５が軸体６２ｃを回転駆動すると、メッシュ状巻回ベルト２４は、支持ローラ２３ａ、２３ｂ、２３ｃ、２３ｄに支持されて回転する。また、メッシュ状巻回ベルト２４は、略台形状の移動軌跡の両側辺部がカバー部材６５ｃ、６５ｃでカバーされており、巻回運動するメッシュ状巻回ベルト２４から作業者を守り、安全性向上を図っている。
【００３８】
メッシュコンベア２２は、支持ローラ２３ａ〜２３ｄ、支持ローラ２３ａ〜２３ｄ間に巻回されているメッシュ状巻回ベルト２４、メッシュコンベア用駆動モータ２５等から構成されている。
メッシュ状巻回ベルト２４には、ガイド部２４ａが形成されており、支持ローラ２３ａ、２３ｂ、２３ｃ、２３ｄに形成されたガイド溝部に係合している。メッシュ状巻回ベルト２４は、ガイド部２４ａが支持ローラのガイド溝部に係合して回転することにより、蛇行などしないようになっている。メッシュ状巻回ベルト２４は、所定の幅、長さを有する無端ベルトである。
【００３９】
メッシュ状巻回ベルト２４は、所定の大きさの孔（例えば、丸孔、角穴、長孔、亀甲孔）が複数形成された薄板状のベルト、長目状のメッシュベルト等であってもよく、要するに、支持ローラ間を巻回できるとともに、そのベルト面の孔を介して空気の流通がたいへんよいものであればよい。メッシュ状巻回ベルトは、薄板金属、合成樹脂などで製作されているとよい。
【００４０】
メッシュ状巻回ベルト２４は、原料が傾斜スクリーン１２上を移動していく原料移動方向を横切る方向に延びた巻回運動軌跡上を、支持ローラ２３ａ、２３ｂ、２３ｃ、２３ｄに支持されて巻回運動する。また、メッシュ状巻回ベルト２４は、少なくともシュート部材７０の上部を移動するベルト面が、シュート部材７０の面に対して、所定の間隔を有するとともに、平行または略平行に移動するように設けられて巻回する。
【００４１】
吸引枠体２１の吸引口２１ａ側には、メッシュ状巻回ベルト２４が吸引する風力によって、内側に変形しない（引き込まれない）ように、複数（この形態では、吸引枠体２１の両側と中央に各々５個）のガイドローラが設けられている。このガイドローラは、いわゆるカムフォロワ（ローラフォロワ）などと呼ばれているものが使用できる。ガイドローラは、軸部が吸引枠体２１に形成された穴部を挿通し、ナット６４ａで吸引枠体２１に固定されている。吸引枠体２１には、ロールブラシ状の軽材料分離部材６３が設けられている。すなわち、軽材料分離部材６３のブラシの先端が、メッシュ状巻回ベルト２４の網目内に入って、メッシュ状巻回ベルト２４と吸引された軽い原料との分離を図ることができる。
【００４２】
また、メッシュ状巻回ベルト２４には、長手方向の所定の間隔毎に、横桟部２４ｂが設けられている。この横桟部２４ｂは、長く薄い原料がメッシュ状巻回ベルト２４に吸着されてしまうのを防止したり、吸引力が低下する位置またはなくなる位置で、吸引した軽い原料が自重で落下するのを容易にするためのものである。なお、メッシュ状巻回ベルトは、横桟部が設けられていないものであってもよい。
【００４３】
吸引本体２１の吸引ダクト接続口には、吸引ダクト８３の一方が接続されている。吸引ダクト８３の他方は、送風機８４の吸込口に接続されている。すなわち、送風機８４の作用により、吸引口２１ａ近傍の空気は、吸引口２１ａから矢印Ｂ方向に吸引される。送風機８４の吐出口には、分岐ダクト（分岐部）８８ａが接続されている。分岐ダクト８８ａの一方の側には、排気口８７が形成された排気ダクト８６が接続されている。分岐ダクト８８ａの他方の側には、吹き出し口８９ａが形成された還流用ダクト８９が接続されている。還流用ダクト８９は、送風機８４の取り付け台８４ｂの後側まで延びた後、送風機８４の取り付け台８４ｂの間を、シュート部材７０の方向に戻り、上方向に立ち上がるように形成されている。吸引ダクト８３、排気ダクト８６、分岐ダクト８８ａ、還流用ダクト８９の内部（内側の空間部）が、各々、吸引用空気通路、排気用空気通路、分岐用空気通路、還流用空気通路を形成する。
【００４４】
吹き出し口８９ａは、開口部がシュート部材７０の方向を向いているとともに、シュート部材７０より所定量下方に位置している。第２ベルトコンベア９５の上部には、ホッパー９６が設けられており、シュート部材７０の前端側から排出される所定の大きさ以上で重い原料が、確実に、第２ベルトコンベア９５上に落下するように誘導している。ホッパー９６の上部には、傾斜板部材９７が設けられており、振動ふるい選別手段１０でふるわれたとき落下せずに残り、シュート部材７０から落下してくる少量の粉状の原料を第２ベルトコンベア９５に流入させるようにしている。また、傾斜板部材９７は、吹き出し口８９ａから吹き出された空気の流れの向きを傾斜板部材９７の角度に沿った方向（矢印Ｃ方向）に変える役割もしている。この空気の流れは、いわゆるエアカーテンのような役割をはたす。
【００４５】
送風機８４は、送風機用駆動モータ８５に駆動されるファン等で送風動作を行う。送風機８４は、操作盤が前面に設けられた送風機用制御盤８４ａで制御される。作業者は、この送風機用制御盤８４ａの操作盤を操作することで、送風機用駆動モータ８５の出力を調整し、送風機８４が発生する風力の調整を行うことができる。例えば、選別される原料の種類、軽い材料として吸引される材料の種類等により、メッシュ状巻回ベルト２４のベルト面を介して吸引する吸引力に相当する送風機８４の風力調整を行うことができる。送風機８４、吸引ダクト８３、排気ダクト８６、送風機用駆動モータ８５等により吸引空気生成手段（送風手段）８０が構成されている。
【００４６】
分岐ダクト８８ａ内には、空気流量調整部材８８ｂ、ストッパ部材８８ｃ、ストッパ部材８８ｄが設けられている。空気流量調整部材８８ｂは、側面視略１／４円の円弧状の板材を背中合わせに一体化したものであり、分岐ダクト８８ａ内を、図２における上下方向に移動させることで、送風機８４から排気ダクト８６に流れる空気流量、及び、送風機８４から還流用ダクト８９に流れる空気流量の調整を行うものである。すなわち、図２において、空気流量調整部材８８ｂを上方向に移動させると還流用ダクト８９側に多く流れ、空気流量調整部材８８ｂを下方向に移動させると排気ダクト８６側に多く流れる。例えば、振動ふるい選別手段１０側において、埃、粉塵等が多く発生している場合には、還流用ダクト８９に流れる空気流量を多くするとよい。
【００４７】
送風機８４、吹き出し口８９ａが形成された還流用ダクト８９、空気流量調整手段８８等により、傾斜スクリーン１２側の埃、粉塵等が前記吸引口２１ａから吸い込まれるのを防止するための埃流入防止手段が構成されている。矢印Ｃ方向の空気の流れは、いわゆるエアカーテンのような役割をはたし、傾斜スクリーン１２側の埃、粉塵等が前記吸引口２１ａ側に流入するのを防止する。このとき、矢印Ｃ方向の空気流は、所定の大きさ以上で軽い原料ＭＢ、所定の大きさ以上で重い原料ＭＤの移動には影響を与えることはない。
【００４８】
ストッパ部材８８ｃ、ストッパ部材８８ｄは、空気流量調整部材８８ｂの移動範囲を規制するための部材である。下側のストッパ部材８８ｄに空気流量調整部材８８ｂが当接するまで移動（下降）させると、ストッパ部材８８ｄと空気流量調整部材８８ｂとで還流用ダクト８９の空気通路を閉じる。すなわち、送風機８４からの送出される空気は、全量、排気ダクト８６側に流れる。また、上側のストッパ部材８８ｃに空気流量調整部材８８ｂが当接するまで移動（上昇）させると、ストッパ部材８８ｃと空気流量調整部材８８ｂとで排気用ダクト８６の空気通路を閉じる。すなわち、送風機８４からの送出される空気は、全量、還流用ダクト８９側に流れる。空気流量調整手段８８は、分岐ダクト８８ａ、空気流量調整部材８８ｂ、ストッパ部材８８ｃ、ストッパ部材８８ｄ等からなっている。
【００４９】
図５に従って、空気流量調整手段８８による流量調整についてさらに説明を行う。
図５は、空気流量調整手段８８を模式的に示したものである。図５（ａ）は、空気調整部材８８ｂをストッパ部材８８ｄ側に移動させ、排気ダクト８６側に多くの空気（Ｑ１＞Ｑ２）が流れている状態を示している。図５（ｂ）は、空気流量調整部材８８ｂをストッパ部材８８ｃ側に位置させ、還流用ダクト８９側に多くの空気（Ｑ１＜Ｑ２）が流れている状態を示している。また、空気流量調整部材８８ｂを、ストッパ部材８８ｃ、ストッパ部材８８ｄの中央に位置させることにより、排気ダクト８６側、還流用ダクト８９側の両方にほぼ均等の空気が流れるようにすることもできる。このように、空気流量調整部材８８ｂの位置を移動させることで、容易に空気流量の調整ができるようになっている。
【００５０】
吸引風力式選別装置１の作用について、説明を行う。
原料Ｇは、図示しないベルトコンベア等によって、図１に示した矢印で示すように、ふるい枠体１１の上方、かつ、後方側からふるい枠体１１内に投入される。投入された原料Ｇは、ふるい枠体１１内でふるわれ、傾斜スクリーン１２のメッシュより小さい原料がベルトコンベア６０上に落下する。この落下した原料は、ベルトコンベア６０によって、吸引風力式選別装置１の後方に搬送される。そして、搬送された原料は、所定の大きさ以下の材料ＭＡとして吸引風力式選別装置１の後方に選別回収される。
【００５１】
ふるい枠体１１内でふるわれ、傾斜スクリーン１２より落下しない原料は、所定の大きさ以上の原料であり、傾斜スクリーン１２の振動及び傾斜に沿って、シュート部材７０上に移動する。シュート部材７０は、傾斜スクリーン１２より傾斜が緩やかになっているので、所定の大きさ以上の原料は、しばらく、滞留状態または滞留に近い状態のようになる。すなわち、後からシュート部材７０上に移動してくる原料に押されるように、少しずつ、移動する。
【００５２】
シュート部材７０の上方には、吸引選別手段２０が設けられている。吸引選別手段２０は、送風機８４の作用により、シュート部材７０の下方、シュート部材７０近傍の空気が、吸引枠体２１の吸引口２１ａから矢印Ｂ方向に、吸引ダクト８３等を介して吸引され、排気ダクト８６の排気口８７より矢印Ｅ方向に排気されている。すなわち、空気の流通がたいへんよい形状に形成されているシュート部材７０、メッシュ状巻回ベルト２４を介して、吸引口２１ａからシュート部材７０の下方または近傍の空気が吸引されている。従って、この吸引力で、シュート部材７０上の軽い原料がメッシュ状巻回ベルト２４に吸引され、メッシュ状巻回ベルト２４の巻回運動によって、矢印Ｄ方向に移動する。
【００５３】
このとき、シュート部材７０上の原料は、遅い速度で少しずつ移動しているので、長い時間、シュート部材７０の下方または近傍の空気が吸引口２１ａから吸引される状態の中におかれていることになる。また、シュート部材７０は、ふるい枠体１１と一体に振動しているので、シュート部材７０上の原料も振動している。すなわち、メッシュ状巻回ベルト２４は、軽い原料を確実に吸引して巻回することができる。
【００５４】
また、空気流量調整部材８８ｂが、ストッパ部８８ｃ、ストッパ部８８ｄの間の所定の位置に調整されておれば、送風機８４の作用により生成された空気の一部が還流用ダクト８９側に流れる。そして、吹き出し口８９ａから吹き出された空気は、傾斜板部材９７で流れの向きを矢印Ｃ方向に変えられ、傾斜板部材９７の傾斜面の角度に沿って流出するようになっている。この矢印Ｃ方向の空気流は、いわゆるエアカーテンのような作用をする。従って、傾斜スクリーン１２側では、ふるっている過程で埃、粉塵等が発生しているが、吹き出し口８９ａから吹き出され、傾斜板部材９７の角度に沿って流出されている空気の流れにより、傾斜スクリーン１２側の埃、粉塵等がシュート部材７０側に流れてくることがない。言い換えると、吸引枠体２１の吸引口２１ａから、埃、粉塵等が吸引されてしまうことを防止している。
【００５５】
メッシュ状巻回ベルト２４は、吸引口２１ａと対向している位置をはずれると吸引力がなくなるので、軽い原料は自重によりメッシュ状巻回ベルト２４から離れ落下する。落下した軽い原料は、搬出シュート７５を介して、側方の他方の側（図３の右側）に設けられた回収箱７６内に、所定の大きさ以上であって軽い原料ＭＢとして選別回収される。このとき、吸引口２１ａには三角状吸引口２１ｄが形成されており、徐々に吸引力が小さくなるようになっているので、メッシュ状巻回ベルト２４と軽い原料との分離が容易となる。また、メッシュ状巻回ベルト２４に形成された横桟部２４ｂ、吸引枠体２１に設けられた軽材料分離部材６３も、メッシュ状巻回ベルト２４と、所定の大きさ以上であって軽い原料との分離を補助し、分離をさらに容易にする作用をする。
【００５６】
シュート部材７０上にあって、吸引選別手段２０によって、吸引されない材料は、後からくる原料の重さ、付与された振動等により押し出されるようにシュート部材７０上を移動し、シュート部材７０の前端側から排出されて落下する。落下した原料は、第２ベルトコンベア９５により、所定の大きさ以上で重い材料ＭＤとして側方の一方の側（図３の左側）に選別回収される。
【００５７】
また、送風機８４で生成された空気は、排気ダクト８６、還流用ダクト８９内を流れる。排気ダクト８６内を流れた空気は排気口８７より矢印Ｅ方向に排気される。一方、還流用ダクト８９内を流れた空気は、吹き出し口８９ａから吹き出され、傾斜板部材９７に沿ってシュート部材７０側に流出する。この空気の流れによって、傾斜スクリーン１２側で発生する埃、粉塵等は、シュート部材７０側に流れてくることができず、傾斜スクリーン１２側にとどまり本体５０周辺に、風に乗って舞うように落下していく。
【００５８】
すなわち、傾斜スクリーン１２側で発生する埃、粉塵等は、吸引口２１ａからほとんど吸引されない状態を作り出すことができる。従って、吸引ダクト８３、排気ダクト８６内を通過し、排気口８７から排気される空気には埃、粉塵等がほとんど含有されていない。従って、排気される空気といっしょに埃、粉塵等が、排気口８７から周囲に飛散することを防止できる。言い換えると、排気ダクト８７近傍、制御盤８４ａ近傍の環境悪化も防止される。
【００５９】
さらに具体的に、原料をコンクリート廃材、アスファルト廃材等建築廃材として説明する。投入された建築廃材は、振動ふるい選別手段１０における振動ふるい動作で選別され、ベルトコンベア６０上に落下する。ベルトコンベア６０に落下した所定の大きさ以下の材料は、再生路盤材、再生骨材等としてリサイクル（再利用）可能な再生材料として、吸引風力式選別装置１の後方側に選別、回収される。
また、原料が、混合産業廃棄物の場合、吸引風力式選別装置１では、残砂が所定の大きさ以下の材料として選別、回収される。すなわち、残砂がリサイクル可能な再生材料として選別、回収される。
【００６０】
傾斜スクリーン１２から落下しなかった建築廃材、混合産業廃棄物のうち所定の大きさ以上で軽いもの（吸引表面積の大きいものを含む）が、シュート部材７０からメッシュ状巻回ベルト２４に吸引される。吸引された紙、プラスチック、木片などは、メッシュ状巻回ベルト２４に吸引された状態で、メッシュ状巻回ベルト２４の巻回運動ととも移動し、吸引力が低下した位置で、不要材料（または、ゴミ）として、吸引風力式選別装置１の側方の他方の側に選別、排出される。
【００６１】
メッシュ状巻回ベルト２４に吸引されないで残った建築廃材は、第２ベルトコンベア９５を介して所定の大きさ以上であって重量が重い材料として、吸引風力式選別装置１の側方の一方の側に選別、回収される。この材料にはゴミ等不要材料が含まれていないので、再度、破砕処理等を行うことにより再生路盤材等にリサイクルすることが可能である。従って、ベルトコンベア等によって、破砕機に搬送するようにしてもよい。
【００６２】
メッシュ状巻回ベルト２４に吸引されないで残った混合産業廃棄物は、第２ベルトコンベア９５を介して所定の大きさ以上であって重量が重い材料である「がれき類」として、吸引風力式選別装置１の側方の一方の側に選別、回収される。
【００６３】
以上、本考案の実施の形態について説明を行ったが、本考案がこの実施の形態に限定されることはない。本考案の目的、趣旨を逸脱しない範囲内での変更が可能なことはいうまでもない。支持台の下部にキャスターを設け、吸引選別手段側を移動可能にしてもよい。
【図面の簡単な説明】
【００６４】
【図１】図１は、本考案の吸引風力式選別装置を示す正面図である。
【図２】図２は、本考案の吸引風力式選別装置を示す側面図である。
【図３】図３は、図１をＸ−Ｘ線で切断して示した断面図である。
【図４】図４は、図３をＹ−Ｙ線で切断して示した断面図である。
【図５】図５（ａ）、（ｂ）は、空気流量調整部材の調整位置と空気流量との関係を模式的に示した説明図であり、（ａ）は排気ダクト側に多くの空気を流している状態を示し、（ｂ）は還流用ダクト側に多くの空気を流している状態を示している。
【符号の説明】
【００６５】
１  …  吸引風力式選別装置  
１０  …  振動ふるい選別手段（第１の選別手段）
１１  …  ふるい枠体
１２  …  傾斜スクリーン
２０  …  吸引選別手段（第２の選別手段）
２１  …  吸引枠体
２２  …  メッシュコンベア
２４  …  メッシュ状巻回ベルト
５０  …  選別装置本体
６０  …  ベルトコンベア
７０  …  シュート部材
７５  …  搬出シュート
８３  …  吸引ダクト
８４  …  送風機
８６  …  排気ダクト
８７  …  排気口
８８  …  空気流量調整手段
８８ａ…  分岐ダクト（分岐部）
８８ｂ…  空気流量調整部材
８９  …  還流用ダクト
８９ａ…  吹き出し口
９５  …  第２ベルトコンベア
【図１】
0003148945.tif 000003
【図２】
0003148945.tif 000004
【図３】
0003148945.tif 000005
【図４】
0003148945.tif 000006
【図５】
0003148945.tif 000007